(57)【要約】【課題】底面に面歪みが生じ難く、かつ仮に面歪みが生じている場合には該面歪みを修正し得るカバー体Ｃを備えた床用目地カバー装置を提供する。【解決手段】目地ｓを覆う平板状のカバー板５と、該カバー板５の下部に目地ｓの幅方向に沿い、かつ該カバー板５の可撓を許容する相互間隔を存して配設された複数の補強支持杆６とによってカバー体Ｃを構成した。これにより、各補強支持杆６の全体としての底面に面歪みが生じ難く、仮に各補強支持杆６の全体としての底面に面歪みが生じていても、カバー体Ｃ上に車両等の荷重がかかると、カバー板５が隣接する補強支持杆６，６の間の部分で撓むことにより、面歪みが修正され、ガタ付くことがない。【選択図】図１
2009228348.tif 000002
【特許請求の範囲】
【請求項１】
隣接する建造物の床相互間の目地に差し渡されて該目地を覆うカバー体の一端が、一方の床の側縁に連結手段を介して揺動可能に連結されるとともに、該カバー体の他端を自由端とし、該自由端が他方の床の側縁に摺動可能に乗載されてなる床用目地カバー装置において、
前記カバー体が、目地を覆う平板状のカバー板と、該カバー板の下部に目地幅方向に沿い、かつ該カバー板の可撓を許容する相互間隔を存して配設された複数の補強支持杆とを備えてなることを特徴とする床用目地カバー装置。
【請求項２】
連結手段が、
上下方向の挿通孔が形成され、カバー体の一端に配設された複数の連結板と、
建築物の床の側縁に目地の長手方向に沿って配設された保持受枠の、カバー体の一端が乗載される水平受縁に立設され、前記連結板の挿通孔に夫々遊嵌されて、カバー板の下方位置でその上部に受圧部材が装着された複数の連結杆と、
該連結杆に外嵌されて、受圧部材とカバー体の連結板との間に介装され、カバー体を下方に付勢する弾発部材と
を備えてなるものであって、
前記連結板が、受圧部材との間に弾発部材が介装可能な間隔を生じ、かつ補強支持杆の下面より上方となる所定高さ位置で、補強支持杆の側面に接合されていることを特徴とする請求項１記載の床用目地カバー装置。
【請求項３】
複数の補強支持杆のうち、所定の補強支持杆の自由端側の端部にその下面から外端上面に向けて傾斜した傾斜端縁が形成されるとともに、カバー板の前縁を前記傾斜端縁の上部から他方の床側に向けて突出させて突出端縁とする一方、
他方の床の側縁に、水平受縁と、該水平受縁の外端に略直角に立ち上がる立ち上がり縁または前記傾斜端縁と同方向に傾斜した傾斜受縁とを備えた摺動受枠が配設され、
該摺動受枠の水平受縁上に前記補強支持杆の自由端側の端部が乗載されるとともに、該補強支持杆の傾斜端縁と、摺動受枠の立ち上がり縁または傾斜受縁との間に生じる作動空隙の上方がカバー板の突出端縁によって遮蔽されていることを特徴とする請求項１又は請求項２記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建物にあっては、地震時における水平方向の揺れが大きくなる傾向がある。このような免震構造の建物の周囲には、隣接する人工地盤との間に、前記揺れを吸収し得る比較的広幅の目地が形成されており、かかる免震構造の建物の目地に好適に使用し得る床用目地カバー装置が、本願出願人によって既に提案されている（例えば、特許文献１参照）。
【０００３】
かかる床用目地カバー装置は、図１１（Ａ）に示すように、建物としての建造物Ａの床ｆと、該床ｆに目地ｓを介して隣接する人工地盤としての建造物Ｂとの間に差し渡されて前記目地ｓを覆うカバー体Ｃの一端を、前記床ｆの側縁に連結手段ａを介して揺動可能に連結し、該カバー体Ｃの他端を自由端として、該自由端にその下面から外端上面に向けて傾斜する傾斜端縁ｂを設けるとともに、該傾斜端縁ｂの上部からカバー体Ｃの上面ｄと略面一となるようにして端部カバー板ｃを建造物Ｂ側に向けて突設する一方、前記建造物Ｂの側縁に、水平受縁ｅと、該水平受縁ｅの外端に前記傾斜端縁ｂと同方向に傾斜する傾斜受縁ｇとを備えた摺動受枠ｈを配設し、該摺動受枠ｈの水平受縁ｅ上に、前記カバー体Ｃの自由端を乗載するとともに、前記端部カバー板ｃの外端を建造物Ｂの床面ｉ上に乗載し、該端部カバー板ｃによってカバー体Ｃの傾斜端縁ｂと摺動受枠ｈの傾斜受縁ｇ間に生じる作動空隙ｊの上方を遮蔽するように構成されている。
【０００４】
そして、地震時において、建造物Ａと、隣接する建造物Ｂとが近接する方向に比較的小さく相対変位した場合には、カバー体Ｃの自由端が摺動受枠ｈの水平受縁ｅ上を作動空隙ｊの範囲内で水平に摺動してその相対変位に追従し、さらに大きく相対変位すると、図１１（Ｂ）に示すように、カバー体Ｃは、一端の連結手段ａを支点として、自由端に形成された傾斜端縁ｂが摺動受枠ｈの傾斜受縁ｇに沿ってずれ上がることにより、その相対変位から逃げることができるようになっている。
【０００５】
また、カバー体Ｃは、図１２に示すように、目地ｓの幅方向に沿って狭幅間隔で並列する複数のメインバーｋと該メインバーｋに直交する複数のクロスバーｍとを格子状に組み付けてなる金属製の剛性基枠ｎの上部に矩形状の金属製カバー板ｐ（図１３参照）を配設して構成されている。ここで、剛性基枠ｎは、グレーチングとして一般に用いられるものと同一の構造であり、この剛性基枠ｎによって、カバー体Ｃ上にかかる車両等の荷重に耐え得る高い強度を得るようにしている。
【０００６】
また、カバー体Ｃの一端を揺動可能に連結する連結手段ａは、図１２，図１３に示すように、カバー体Ｃの端部下面に、該カバー体Ｃの横幅間に亘る長さの連結板ｒを固着する一方、建造物Ａの床ｆの側縁に目地ｓの長手方向に沿って配設された保持受枠ｕの水平受縁ｖにボルトからなる複数の連結杆ｗを立設し、各連結杆ｗを前記連結板ｒの両端近傍部に形成された上下方向の挿通孔ｔに夫々遊嵌した状態でコイル状の圧縮ばねｘを外嵌して、その上端にナットからなるばね受け部材ｙを螺着することにより、該圧縮ばねｘの弾発力によってカバー体Ｃの一端を下方に付勢して揺動可能に連結するように構成されている。ここで、前記連結杆ｗの立設位置に対応するカバー体Ｃの両側縁近傍部には、所定のメインバーｋ1（図１２参照）の端部を切除し、かつその切除端に直交する仕切り板ｚを配設して、四方を該仕切り板ｚとエンドバーｑ及び二本のメインバーｋ2，ｋ3とで区画した取付け凹部ｏを形成することにより、連結杆ｗに対する上方からの圧縮ばねｘの外嵌操作及びばね受け部材ｙの螺着操作を可能とする空間を確保するようにしている。
【特許文献１】特開平１０−３１７５１６号公報（段落［００２５］、図５、図６）
【発明の開示】
【発明が解決しようとする課題】
【０００７】
ところで、従来の床用目地カバー装置のカバー体Ｃは、剛性基枠ｎを構成する複数のメインバーｋと複数のクロスバーｍの交差部を溶接によって接合することにより一体化しているため、溶接時に発生する寸法誤差により、全てのメインバーｋの底面が同一高さとならず、剛性基枠ｎの全体としての底面に面歪みが生じ易いものとなっている。このため、該剛性基枠ｎの上部に金属製カバー板ｐを溶接により接合して構成されたカバー体Ｃにあっては、その施工後において、前記底面の面歪みに起因するガタ付きが発生したり、底面が部分的に摺動受枠ｈの水平受縁ｅに引っ掛かると円滑な摺動に支障を来すといった問題点があった。
【０００８】
また、剛性基枠ｎを構成する複数のメインバーｋが、目地ｓの幅方向に沿って狭幅間隔で並列されていることにより、連結手段ａを構成する連結板ｒ（図１３参照）がカバー体Ｃの端部下面に、該カバー体Ｃの横幅間に亘って配設されている。このため、該連結板ｒが乗載される保持受枠ｕの水平受縁ｖと該連結板ｒとの間に、施工時に付着したモルタルや施工後に入り込んだ小石等があると、連結板ｒが水平受縁ｖから部分的に浮き上がり、これによってもカバー体Ｃにガタ付きが発生するという問題点があった。
【０００９】
さらに、剛性基枠ｎを構成する複数のメインバーｋが、目地ｓの幅方向に沿って狭幅間隔で並列されているため、連結手段ａを構成する連結杆ｗに対する上方からの圧縮ばねｘの外嵌操作及びばね受け部材ｙの螺着操作が可能となるように、所定のメインバーｋ1（図１２参照）の端部を切除し、かつその切除端に直交する仕切り板ｚを配設して、四方を該仕切り板ｚとエンドバーｑ及び二本のメインバーｋ2，ｋ3とで区画した取付け凹部ｏを形成するようにしている。このため、該取付け凹部ｏの形成が面倒で生産性が悪いという問題点があった。
【００１０】
本発明は、かかる問題点を解消し得るカバー体を備えた床用目地カバー装置を提供することを目的とするものである。
【課題を解決するための手段】
【００１１】
本発明は、隣接する建造物の床相互間の目地に差し渡されて該目地を覆うカバー体の一端が、一方の床の側縁に連結手段を介して揺動可能に連結されるとともに、該カバー体の他端を自由端とし、該自由端が他方の床の側縁に摺動可能に乗載されてなる床用目地カバー装置において、前記カバー体が、目地を覆う平板状のカバー板と、該カバー板の下部に目地幅方向に沿い、かつ該カバー板の可撓を許容する相互間隔を存して配設された複数の補強支持杆とを備えてなることを特徴とする床用目地カバー装置である。
【００１２】
ここで、カバー板と補強支持杆の材質としては、圧延鋼（SS400）やステンレス鋼（SUS304）が好適であり、カバー板には、かかる材質からなる金属板が使用され得る一方、補強支持杆には、かかる材質からなるパイプ材が使用され得る。また、カバー板の可撓とは、面方向から外力が作用すると塑性変形を生じない範囲内で面方向にそり曲がった状態となり、外力がなくなると元に戻る弾性変形を意味する。
【００１３】
また、前記連結手段が、上下方向の挿通孔が形成され、カバー体の一端に配設された複数の連結板と、建築物の床の側縁に目地の長手方向に沿って配設された保持受枠の、カバー体の一端が乗載される水平受縁に立設され、前記連結板の挿通孔に夫々遊嵌されて、カバー板の下方位置でその上部に受圧部材が装着された複数の連結杆と、該連結杆に外嵌されて、受圧部材とカバー体の連結板との間に介装され、カバー体を下方に付勢する弾発部材とを備えてなるものであって、前記連結板が、受圧部材との間に弾発部材が介装可能な間隔を生じ、かつ補強支持杆の下面より上方となる所定高さ位置で、補強支持杆の側面に接合されている構成が提案される。
【００１４】
また、前記床用目地カバー装置にあって、複数の補強支持杆のうち、所定の補強支持杆の自由端側の端部にその下面から外端上面に向けて傾斜した傾斜端縁が形成されるとともに、カバー板の前縁を前記傾斜端縁の上部から他方の床側に向けて突出させて突出端縁とする一方、他方の床の側縁に、水平受縁と、該水平受縁の外端に略直角に立ち上がる立ち上がり縁または前記傾斜端縁と同方向に傾斜した傾斜受縁とを備えた摺動受枠が配設され、該摺動受枠の水平受縁上に前記補強支持杆の自由端側の端部が乗載されるとともに、該補強支持杆の傾斜端縁と、摺動受枠の立ち上がり縁または傾斜受縁との間に生じる作動空隙の上方がカバー板の突出端縁によって遮蔽されている構成が提案される。
【００１５】
ここで、傾斜端縁が形成される所定の補強支持杆としては、複数の補強支持杆のうち、カバー体の横幅方向の両端に位置する二本の補強支持杆としたり、或いは全ての補強支持杆とすることができる。
【発明の効果】
【００１６】
本発明は、上述したように、カバー体が、目地を覆う平板状のカバー板と、該カバー板の下部に目地幅方向に沿い、かつ該カバー板の可撓を許容する相互間隔を存して配設された複数の補強支持杆とを備えてなるから、複数のメインバーとクロスバーとを溶接によって一体化した剛性基枠を備える従来のカバー体に比して、各補強支持杆の全体としての底面に面歪みが生じ難いため、その施工後において、底面の面歪みに起因するガタ付きの発生が解消されるとともに、底面が部分的に摺動受枠の水平受縁に引っ掛かることがないため、円滑な摺動を行わせることができる。また、複数の補強支持杆が、カバー板の可撓を許容する相互間隔を存して配設されているので、仮に各補強支持杆の全体としての底面に面歪みが生じていても、カバー体上に車両等の荷重がかかると、カバー板が隣接する補強支持杆の間の部分で撓むことにより、面歪みが修正され、各補強支持杆の全体としての底面を摺動受枠の水平受縁に当接させることができ、これによってガタ付きの発生を防止することができる。
【００１７】
また、カバー体の一端を一方の床の側縁に揺動可能に連結する連結手段が、上下方向の挿通孔が形成され、カバー体の一端に配設された複数の連結板と、建築物の床の側縁に目地の長手方向に沿って配設された保持受枠の、カバー体の一端が乗載される水平受縁に立設され、前記連結板の挿通孔に夫々遊嵌されて、カバー板の下方位置でその上部に受圧部材が装着された複数の連結杆と、該連結杆に外嵌されて、受圧部材とカバー体の連結板との間に介装され、カバー体を下方に付勢する弾発部材とを備えてなるものにあって、前記連結板が、受圧部材との間に弾発部材が介装可能な間隔を生じ、かつ補強支持杆の下面より上方となる所定高さ位置で、補強支持杆の側面に接合されている構成にあっては、保持受枠の水平受縁上に、施工時に付着したモルタルや施工後に入り込んだ小石等があっても、連結板が補強支持杆の下面より上方となる所定高さ位置に配設されていることにより、該連結板が前記モルタルや小石等の上に乗り上げることに起因するカバー体Ｃのガタ付き発生を防止することができる。また、連結板を補強支持杆の側面に接合することにより、従来構成のように、メインバーの端部を切除し、かつその切除端に直交する仕切り板を配設して取付け凹部を形成する面倒な作業を行う必要がないため、生産性を向上させることができる。
【００１８】
さらに、前記床用目地カバー装置にあって、複数の補強支持杆のうち、所定の補強支持杆の自由端側の端部にその下面から外端上面に向けて傾斜した傾斜端縁が形成されるとともに、カバー板の前縁を前記傾斜端縁の上部から他方の床側に向けて突出させて突出端縁とする一方、他方の床の側縁に、水平受縁と、該水平受縁の外端に略直角に立ち上がる立ち上がり縁または前記傾斜端縁と同方向に傾斜した傾斜受縁とを備えた摺動受枠が配設され、該摺動受枠の水平受縁上に前記補強支持杆の自由端側の端部が乗載されるとともに、該補強支持杆の傾斜端縁と、摺動受枠の立ち上がり縁または傾斜受縁との間に生じる作動空隙の上方がカバー板の突出端縁によって遮蔽されている構成にあっては、カバー板によって目地が覆われているとともに、該カバー板の前縁の突出端縁によって作動空隙の上方が遮蔽されていることにより、常時は、該カバー板と他方の床の側縁の間に段差及び凹部が生じることがない。また、地震時において、隣接する両建造物が近接する方向に比較的小さく相対変位すると、カバー体の自由端が摺動受枠の水平受縁上を作動空隙の範囲内で水平に摺動してその相対変位に追従し、さらに大きく相対変位すると、カバー体は、一端の連結手段を支点として、自由端に形成された傾斜端縁が、摺動受枠の立ち上がり縁の上端または傾斜受縁に当接してずれ上がり、その相対変位から逃げることができる。ここで、端部に傾斜端縁が形成された所定の補強支持杆を含む複数の補強支持杆が目地幅方向に沿って配設されていることにより、ずれ上がった傾斜端縁の通過後に、摺動受枠の立ち上がり縁の上端または傾斜受縁に当接する各補強支持杆の底面の摺動を円滑に行わせることができる。
【発明を実施するための最良の形態】
【００１９】
本発明にかかる床用目地カバー装置の第一実施例を、図１〜図９に基づいて説明する。
図１において、Ａは緩衝機能を備えた免震装置（図示省略）によって下部が支持された免震構造の建物からなる建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００２０】
前記建造物Ｂの床ｆ2 の側縁には、図１に示すように、後述するカバー体Ｃの厚みに相当する深さで窪ませた支持段縁１が、目地ｓの幅方向（図１において左右方向）に所定幅で形成されており、該支持段縁１の前端稜部には水平受縁２ａを備えた前部摺動受枠２が配設されている。また、該支持段縁１の後端側には、第一水平受縁３ａの後端に傾斜受縁３ｂを介して第二水平受縁３ｃが連成され、さらに該第二水平受縁３ｃの後端に床ｆ2 の上面に向けて上方傾斜する傾斜受縁３ｄが連成された後部摺動受枠３が配設されている。ここで、前記第二水平受縁３ｃの深さは、カバー体Ｃを構成するカバー板５の前端部分に斜め下方に曲成された屈曲端の上下幅に相当する深さに設定されている。これにより、カバー体Ｃの上面が床ｆ2 の上面と略面一となるようにしている。この前部摺動受枠２と後部摺動受枠３は、目地ｓに沿う方向（図１において前後方向）に延在するように配設されており、その長さは、図９に示すように、複数個のカバー体Ｃを配置した状態において、その両端に位置するカバー体Ｃ，Ｃの側方に、該カバー体Ｃ，Ｃが目地ｓに沿う方向に摺動し得る作動空隙４，４が夫々生じる長さに設定されている。尚、前記前部摺動受枠２と後部摺動受枠３は、図示したように分割形成することなく、一体に形成することも可能である。また、後部摺動受枠３は、図２に示す変形実施例のように、前記傾斜受縁３ｂに代えて第一水平受縁３ａの後端に略直角に立ち上がる立ち上がり縁３ｅを備えたものであってもよい。
【００２１】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって（図９参照）、各カバー体Ｃは、図１に示すように、その一端が建造物Ａの床ｆ1 の側縁に、後述する連結手段１３を介して揺動可能に連結されている。各カバー体Ｃは、他端を自由端としており、該自由端が上述した前部摺動受枠２と後部摺動受枠３が配設された支持段縁１上に摺動可能に乗載されている。
【００２２】
各カバー体Ｃは、図３〜図６に示すように、目地ｓを覆う平板状のカバー板５と、該カバー板５の下部に目地ｓの幅方向（図１において左右方向）に沿って配設された複数の補強支持杆６とを備えており、各補強支持杆６はカバー板５の可撓を許容する相互間隔を存して目地ｓに沿う方向に並列されている。カバー板５は、厚さ4.5mm程度の圧延鋼（SS400）からなる金属板が素材に用いられており、補強支持杆６には、高さ75mm程度、横幅45mm程度、肉厚2.3mm程度の圧延鋼（SS400）からなる角パイプ材が素材に用いられている。また、カバー板５は長さ1353mm程度、幅998mm程度の矩形状に形成されており、その後端にはカバー板５の端縁を下方に屈曲させた後壁縁７が連成されている。補強支持杆６は、図５に示すように、カバー板５の裏面の幅方向両側縁とその中間位置に略等間隔で配置され、複数の所要箇所に施された溶接によってカバー板５に接合されている。尚、カバー板５及び補強支持杆６の材質としては、ステンレス鋼（SUS304）を用いることも可能である。
【００２３】
カバー板５の裏面の幅方向両側縁に配置された一対の補強支持杆６ａ，６ａの自由端側の端部には、該補強支持杆６ａ，６ａを斜めに切断することにより、図３に示すように、その下面から外端上面に向けて傾斜した傾斜端縁８が夫々形成されており、中間位置に配置されたその他の補強支持杆６ｂの端部は、前記傾斜端縁８の長さ分だけ短くなっている。また、カバー板５の裏面には、前記補強支持杆６ａ，６ａの傾斜端縁８，８間に亘って配設された断面Ｌ形のアングル材からなる補強杆２２が溶接によって接合されている。
【００２４】
また、後述する連結手段１３を介して建造物Ａの床ｆ1 の側縁に揺動可能に連結されるカバー体Ｃの一端には、図３，図５に示すように、その幅方向両側縁の近傍位置に、連結手段１３を構成する連結板９，９が一対で配設されている。該連結板９，９は、上下方向の挿通孔１０，１０が形成された矩形状の金属製平板からなり、補強支持杆６の下面より上方となる所定高さ位置で、その二辺縁が補強支持杆６ａの側面とカバー板５の後壁縁７の側面に溶接によって接合されている。尚、該連結板９，９の配設態様としては、図６に示すように、該連結板９，９を帯板状に形成して、その長手方向両端部を、隣接する補強支持杆６ａと補強支持杆６ｂの夫々の側面に溶接によって接合することも可能である。
【００２５】
カバー体Ｃの自由端は、前記傾斜端縁８と上述した後部摺動受枠３の傾斜受縁３ｂ（図１参照）または立ち上がり縁３ｅ（図２参照）との間に適宜幅の空隙が生じるようにして前部摺動受枠２の水平受縁２ａ及び後部摺動受枠３の第一水平受縁３ａを備えた支持段縁１上に乗載されており、前記空隙を作動空隙１１としている。また、カバー板５の前縁は、前記傾斜端縁８の上部から建造物Ｂの床ｆ2 側に向けて突出されて突出端縁１２となっており、この突出端縁１２によって前記作動空隙１１の上方が遮蔽されている。
【００２６】
前記連結手段１３を図７に基づいて説明する。
建造物Ａの床ｆ1 の側縁上には、目地ｓに沿う方向に延在するようにして保持受枠１４が配設されている。該保持受枠１４は、水平受縁１４ａと垂直縁１４ｂとを備えた断面Ｌ形に形成されており、水平受縁１４ａの上面に、上述したカバー体Ｃを構成する各補強支持杆６の一端が乗載されている。また、水平受縁１４ａには、その下面側から挿通して該水平受縁１４ａに固着したボルトからなる複数の連結杆１５が、前記連結板９，９の挿通孔１０，１０に対応する位置に夫々立設されている。各連結杆１５は、水平受縁１４ａ上にカバー体Ｃを構成する各補強支持杆６の一端を乗載した状態において、前記連結板９，９の挿通孔１０，１０に下方から遊嵌され、その上端にはカバー板５の下方位置で、ナットからなる受圧部材１６が螺着されている。また、各連結杆１５には、前記受圧部材１６と連結板９との間に介装するようにしてコイルバネからなる弾発部材１７が圧縮状態で外嵌されており、該弾発部材１７の弾発力によってカバー体Ｃを常時下方に付勢するようにしている。尚、このカバー体Ｃの下方付勢手段としては、コイルバネに代えてゴムリング（図示省略）を用いることも可能である。これにより、建造物Ａの床ｆ1 の側縁に、カバー体Ｃの一端を揺動可能に連結する連結手段１３が構成されている。また、この連結状態において、カバー板５の上面が建造物Ａの床ｆ1 の上面と同一高さとなるようにしている。さらに、カバー板５には、連結板９，９の挿通孔１０，１０の上方位置に、前記弾発部材１７及び受圧部材１６の取付け操作を可能とする操作孔１８，１８が開口されており、該操作孔１８，１８には、遮蔽キャップ１９，１９が着脱可能に嵌着されている。
【００２７】
また、カバー板５の上面には、所定形状の無数の凸部からなる滑り止め部２３（図４参照）が一体形成されている。
【００２８】
次に、かかる構成からなる床用目地カバー装置の作動態様について説明する。
カバー体Ｃは、カバー板５の上面が、建造物Ａの床ｆ1 の上面及び建造物Ｂの床ｆ2 の上面と略面一になるように配設されていることにより、常時は、図１に示すように、該カバー体Ｃと、建造物Ａの床ｆ1 または建造物Ｂの床ｆ2 との間に段差が生じることがない。また、地震時において、建造物Ａと、隣接する建造物Ｂとが近接する方向に比較的小さく相対変位すると、カバー体Ｃの自由端が作動空隙１１の範囲内で水平に摺動してその相対変位に追従し、さらに大きく相対変位すると、カバー体Ｃは、自由端に形成された傾斜端縁８が、傾斜受縁３ｂ（図１参照）または立ち上がり縁３ｅ（図２参照）の上端に当接してずれ上がり、図８に示すように、連結手段１３により連結された一端を支点として傾動することにより、その相対変位から逃げることができる。ここで、端部に傾斜端縁８が形成された所定の補強支持杆６ａ，６ａを含む複数の補強支持杆６が目地ｓの幅方向に沿って配設されていることにより、ずれ上がった傾斜端縁８の通過後に、立ち上がり縁３ｅの上端または傾斜受縁３ｂに当接する各補強支持杆６の底面の摺動を円滑に行わせることができる。
【００２９】
また、建造物Ａと、隣接する建造物Ｂとが離れる方向に相対変位すると、カバー体Ｃは、その自由端が支持段縁１上を、傾斜受縁３ｂ（または立ち上がり縁３ｅ）と逆方向に向けて水平に摺動してその相対変位に追従する。
【００３０】
そして、地震が終って建造物Ａと建造物Ｂとが定常位置に戻ると、これに伴なってカバー体Ｃの自由端も、図１に示した定常位置に戻り、カバー体Ｃが定常状態に復帰する。
【００３１】
また、建造物Ａと、隣接する建造物Ｂとが前後方向（目地ｓに沿う方向）に相対変位すると、カバー体Ｃの自由端は、支持段縁１上を前後方向に摺動してその相対変位に追従する。この場合、図９に示すように、目地ｓに沿って連続状に配置された複数個のカバー体Ｃの、その両端に位置するカバー体Ｃ，Ｃの側方に位置させて、前部摺動受枠２と後部摺動受枠３の側端部に作動空隙４，４が設けられていることにより、該作動空隙４，４によって各カバー体Ｃの自由端の前後方向の摺動が可能となっている。
【００３２】
さらに、建造物Ａと、隣接する建造物Ｂとが上下方向に相対変位すると、カバー体Ｃは、連結手段１３により建造物Ａの床ｆ1 の側縁に連結された一端を支点として、建造物Ａもしくは隣接する建造物Ｂの上下動に伴なって傾動して、その相対変位に追従する。
【００３３】
かかる構成にあって、上述したように、カバー体Ｃが、目地ｓを覆う平板状のカバー板５と、該カバー板５の下部に目地ｓの幅方向に沿い、かつ該カバー板５の可撓を許容する相互間隔を存して配設された複数の補強支持杆６とを備えてなるから、剛性基枠ｎ（図１２参照）を備えた従来のカバー体Ｃに比して、各補強支持杆６の全体としての底面に面歪みが生じ難いため、その施工後において、底面の面歪みに起因するガタ付きの発生が解消されるとともに、底面が部分的に前部摺動受枠２の水平受縁２ａ及び後部摺動受枠３の第一水平受縁３ａに引っ掛かることがないため、円滑な摺動を行わせることができる。また、複数の補強支持杆６が、カバー板５の可撓を許容する相互間隔を存して配設されているので、仮に各補強支持杆６の全体としての底面に面歪みが生じていても、カバー体Ｃ上に車両等の荷重がかかると、カバー板５が隣接する補強支持杆６の間の部分で撓むことにより、面歪みが修正され、各補強支持杆６の全体としての底面を前部摺動受枠２の水平受縁２ａ及び後部摺動受枠３の第一水平受縁３ａに当接させることができ、これによってガタ付きの発生を防止することができる。
【００３４】
また、連結手段１３を構成する複数の連結板９が、受圧部材１６との間に弾発部材１７が介装可能な間隔を生じ、かつ補強支持杆６の下面より上方となる所定高さ位置で、補強支持杆６の側面に接合されているので、保持受枠１４の水平受縁１４ａ上に、施工時に付着したモルタルや施工後に入り込んだ小石等があっても、連結板９が補強支持杆６の下面より上方となる所定高さ位置に配設されていることにより、該連結板９が前記モルタルや小石等の上に乗り上げることに起因するカバー体Ｃのガタ付き発生を防止することができる。また、連結板９を補強支持杆６の側面に接合することにより、従来構成のように、メインバーの端部を切除し、かつその切除端に直交する仕切り板を配設して取付け凹部ｏ（図１２参照）を形成する面倒な作業を行う必要がないため、生産性を向上させることができる。
【００３５】
さらに、前記床用目地カバー装置にあって、複数の補強支持杆６のうち、所定の補強支持杆６ａ，６ａの自由端側の端部にその下面から外端上面に向けて傾斜した傾斜端縁８が形成されるとともに、カバー板５の前縁を前記傾斜端縁８の上部から他方の床ｆ2 側に向けて突出させて突出端縁１２とする一方、他方の床ｆ2の側縁に、第一水平受縁３ａと、該第一水平受縁３ａの外端に略直角に立ち上がる立ち上がり縁３ｅまたは前記傾斜端縁８と同方向に傾斜した傾斜受縁３ｂとを備えた後部摺動受枠３が配設され、該後部摺動受枠３の第一水平受縁３ａ上に前記補強支持杆６の自由端側の端部が乗載されるとともに、該補強支持杆６の傾斜端縁８と、後部摺動受枠３の立ち上がり縁３ｅまたは傾斜受縁３ｂとの間に生じる作動空隙１１の上方がカバー板５の突出端縁１２によって遮蔽されている構成にあっては、カバー板５によって目地ｓが覆われているとともに、該カバー板５の前縁の突出端縁１２によって作動空隙１１の上方が遮蔽されていることにより、常時は、該カバー板５と他方の床ｆ2の側縁の間に段差及び凹部が生じることがない。また、地震時において、隣接する両建造物Ａ，Ｂが近接する方向に比較的大きく相対変位すると、カバー体Ｃは、一端の連結手段１３を支点として、自由端に形成された傾斜端縁８が、後部摺動受枠３の立ち上がり縁３ｅの上端または傾斜受縁３ｂに当接してずれ上がり、その相対変位から逃げることができる。そして、端部に傾斜端縁８が形成された所定の補強支持杆６ａ，６ａを含む複数の補強支持杆６が目地ｓの幅方向に沿って配設されていることにより、ずれ上がった傾斜端縁８の通過後に、後部摺動受枠３の立ち上がり縁３ｅの上端または傾斜受縁３ｂに当接する各補強支持杆６の底面の摺動を円滑に行わせることができる。
【００３６】
図１０は、第二実施例を示し、この第二実施例は、建造物Ａに目地ｓを介して隣接する建造物Ｂの床ｆ2 が、建造物Ａの床ｆ1 の高さに比して、カバー体Ｃの厚み分だけ低く設定されており、該床ｆ2 の側縁に水平受縁２ａを備えた前部摺動受枠２と比較的長い水平受縁２０ａを備えた後部摺動受枠２０が配設されている。尚、該後部摺動受枠２０は前後に分割して形成することも可能である。また、建造物Ａの床ｆ1 と建造物Ｂの床ｆ2 間の目地ｓに差し渡されて該目地ｓを覆うカバー体Ｃは、その一端が建造物Ａの床ｆ1 の側縁に、上述した連結手段１３を介して揺動可能に連結され、他端の自由端が建造物Ｂの床ｆ2 の側縁上に摺動可能に乗載されている。
【００３７】
カバー体Ｃは、第一実施例と同様に、目地ｓを覆う平板状のカバー板５と、該カバー板５の下部に目地ｓの幅方向に沿い、かつ該カバー板５の可撓を許容する相互間隔を存して配設された複数の補強支持杆６とを備えている。また、カバー体Ｃには、カバー板５の前縁を各補強支持杆６の前端より前方に突出させて下方傾斜させたスロープ部２１が設けられており、該スロープ部２１は、その下面が各補強支持杆６から夫々突設された支持板２４によって支持されている。そして、このスロープ部２１により、カバー体Ｃの自由端側の端部上面と建造物Ｂの床ｆ2 の上面との間に急激な段差が生じないようにしている。
【００３８】
その他、第一実施例と共通する構成部分については第一実施例と同一の符号を付して重複説明を省略する。
【００３９】
かかる構成からなる床用目地カバー装置は、カバー体Ｃが、常時は図１０に示す定常位置で目地ｓを覆っている。そして、地震時において、建造物Ａと、隣接する建造物Ｂとが離近する方向に相対変位すると、カバー体Ｃの自由端が建造物Ｂの床ｆ2 の側縁上を水平に摺動してその相対変位に追従する。
【００４０】
また、建造物Ａと、隣接する建造物Ｂとが前後方向（目地ｓに沿う方向）に相対変位すると、カバー体Ｃの自由端が、建造物Ｂの床ｆ2 の側縁上を前後方向に摺動してその相対変位に追従する。
【００４１】
さらに、建造物Ａと、隣接する建造物Ｂとが上下方向に相対変位すると、カバー体Ｃは、連結手段１３により建造物Ａの床ｆ1 の側縁に連結された一端を支点として、建造物Ａもしくは隣接する建造物Ｂの上下動に伴なって傾動して、その相対変位に追従する。
【００４２】
そして、この第二実施例にあっても、カバー体Ｃが、目地ｓを覆う平板状のカバー板５と、該カバー板５の下部に目地ｓの幅方向に沿い、かつ該カバー板５の可撓を許容する相互間隔を存して配設された複数の補強支持杆６とを備えてなるから、剛性基枠ｎ（図１２参照）を備えた従来のカバー体Ｃに比して、各補強支持杆６の全体としての底面に面歪みが生じ難いため、その施工後において、底面の面歪みに起因するガタ付きの発生が解消されるとともに、底面が部分的に前部摺動受枠２の水平受縁２ａ及び後部摺動受枠２０の水平受縁２０ａに引っ掛かることがないため、円滑な摺動を行わせることができる。また、複数の補強支持杆６が、カバー板５の可撓を許容する相互間隔を存して配設されているので、仮に各補強支持杆６の全体としての底面に面歪みが生じていても、カバー体Ｃ上に車両等の荷重がかかると、カバー板５が隣接する補強支持杆６の間の部分で撓むことにより、面歪みが修正され、各補強支持杆６の全体としての底面を前部摺動受枠２の水平受縁２ａ及び後部摺動受枠２０の水平受縁２０ａに当接させることができ、これによってガタ付きの発生を防止することができる。
【００４３】
尚、上記各実施例において、建造物Ａを免震構造の建造物、建造物Ｂを人工地盤からなる建造物としたが、これに代えて、建造物Ａを人工地盤からなる建造物、建造物Ｂを免震構造の建造物としてもよい。また、本発明にかかる床用目地カバー装置は、免震装置によって下部が支持された免震構造の建造物以外の一般的な建造物にも適用することが可能である。
【図面の簡単な説明】
【００４４】
【図１】第一実施例にかかる床用目地カバー装置の施工状態を示す縦断正面図である。
【図２】第一実施例の変形実施例にかかる床用目地カバー装置の施工状態を示す縦断正面図である。
【図３】同上の床用目地カバー装置を構成するカバー体Ｃの縦断正面図である。
【図４】同上のカバー体Ｃの平面図である。
【図５】同上のカバー体Ｃの底面図である。
【図６】連結板９の他の配設態様を示すカバー体Ｃの底面図である。
【図７】連結手段１３部分の拡大図である。
【図８】カバー体Ｃの作用説明図である。
【図９】複数個のカバー体Ｃを目地ｓに沿う方向に連続状に配設した状態を示す平面図である。
【図１０】第二実施例にかかる床用目地カバー装置の施工状態を示す縦断正面図である。
【図１１】（Ａ）は従来構成の床用目地カバー装置の概略縦断正面図、（Ｂ）はその作用説明図である。
【図１２】従来のカバー体Ｃを備えた床用目地カバー装置の平面図である。
【図１３】従来の連結手段ａ部分の拡大図である。
【符号の説明】
【００４５】
Ａ  建造物
Ｂ  建造物
Ｃ  カバー体
ｆ1  床
ｆ2  床
ｓ  目地
３  後部摺動受枠（摺動受枠）
３ａ  水平受縁
３ｂ  傾斜受縁
３ｅ  立ち上がり縁
５  カバー板
６，６ａ，６ｂ  補強支持杆
８  傾斜端縁
９  連結板
１０  挿通孔
１１  作動空隙
１２  突出端縁
１３  連結手段
１４  保持受枠
１４ａ  水平受縁
１５  連結杆
１６  受圧部材
１７  弾発部材
【図１】
2009228348.tif 000003
【図２】
2009228348.tif 000004
【図３】
2009228348.tif 000005
【図４】
2009228348.tif 000006
【図５】
2009228348.tif 000007
【図６】
2009228348.tif 000008
【図７】
2009228348.tif 000009
【図８】
2009228348.tif 000010
【図９】
2009228348.tif 000011
【図１０】
2009228348.tif 000012
【図１１】
2009228348.tif 000013
【図１２】
2009228348.tif 000014
【図１３】
2009228348.tif 000015